(57)【要約】【課題】ネットワークテレビジョン受像機において、ユーザが所望のＶＯＤやｅコマースのサービスを短時間で簡単に選択でき、しかも、ユーザが選択可能なＶＯＤやｅコマースのサービスを制限できるようにする。【解決手段】メモリに記憶するチャンネルループ情報に、ユーザ所望のＶＯＤ又はｅコマースのサービスに対応したチャンネル（図中のネット（赤）及びネット（青））を含めることにより、ユーザがチャンネルアップボタン等を用いて、所望のＶＯＤやｅコマースのサービスに切り替えることができる。これにより、ユーザが所望のＶＯＤやｅコマースのサービスを短時間で簡単に選択することができる。また、メモリに記憶するチャンネルループ情報に、ユーザ（視聴者）の属性（年齢、性別等）や好みに応じたＶＯＤやｅコマースのサービスに対応したチャンネルのみを含めることにより、ユーザが選択可能なＶＯＤやｅコマースのサービスを制限できる。【選択図】図３
2012049727.tif 000002
【特許請求の範囲】
【請求項１】
ＶＯＤ（Ｖｉｄｅｏ  Ｏｎ  Ｄｅｍａｎｄ）のサービスを提供し、ビデオコンテンツの配信を行うＶＯＤサービス提供サーバとネットワークを介して接続され、
前記ＶＯＤサービス提供サーバから送信されたビデオコンテンツを受信すると共に、前記ＶＯＤサービス提供サーバとの間で各種のコマンド及びレスポンスの送受信を行うための送受信手段と、
放送局から送信されたテレビ番組の放送信号を受信する放送信号受信手段と、
前記送受信手段により受信したビデオコンテンツの映像と、前記放送信号受信手段により受信したテレビ番組の映像とを表示する表示手段と、
前記テレビ番組のチャンネルの切り替えを行うためのチャンネルアップボタン又はチャンネルダウンボタンと、
前記チャンネルアップボタン又はチャンネルダウンボタンの押下により切り替え可能なチャンネルを記憶するチャンネルループ情報記憶手段とを備えたネットワークテレビジョン受像機において、
前記チャンネルループ情報記憶手段に記憶されたチャンネルの中には、前記ＶＯＤのサービスに対応したチャンネルが含まれることを特徴とするネットワークテレビジョン受像機。
【請求項２】
複数の外部機器から映像と音声を入力するための複数の外部入力端子と、
前記複数の外部入力端子の中から入力元となる外部入力端子を選択して、入力元を切り替えるための入力切替ボタンと、
前記入力切替ボタンの押下により切り替え可能な入力元を記憶する入力ループ情報記憶手段とをさらに備え、
前記入力ループ情報記憶手段に記憶された入力元の中には、前記ＶＯＤのサービスが含まれることを特徴とする請求項１に記載のネットワークテレビジョン受像機。
【請求項３】
前記ＶＯＤのサービスについてのショートカットキーを設定するためのショートカットキー設定手段をさらに備え、
前記チャンネルループ情報記憶手段に記憶されたチャンネルの中には、前記ショートカットキー設定手段によりショートカットキーを設定された前記ＶＯＤのサービスに対応したチャンネルが含まれることを特徴とする請求項１又は請求項２に記載のネットワークテレビジョン受像機。
【請求項４】
前記ＶＯＤのサービスについてのショートカットキーを設定するためのショートカットキー設定手段をさらに備え、
前記入力ループ情報記憶手段に記憶された入力元の中には、前記ショートカットキー設定手段によりショートカットキーを設定された前記ＶＯＤのサービスが含まれることを特徴とする請求項１乃至請求項３の少なくともいずれか一項に記載のネットワークテレビジョン受像機。
【請求項５】
ｅコマース（ｅｌｅｃｔｒｏｎｉｃ  ｃｏｍｍｅｒｃｅ）のサービスを提供するｅコマースサービス提供サーバとネットワークを介して接続され、
前記送受信手段は、さらに、前記ｅコマースサービス提供サーバから送信されたｅコマースサービス提供用の各種データを受信すると共に、前記ｅコマースサービス提供サーバとの間で各種のコマンド及びレスポンスの送受信を行い、
前記表示手段は、前記送受信手段により受信した前記ｅコマースサービス提供用の各種データに含まれる、ｅコマースサービス提供用の画像をさらに表示し、
前記チャンネルループ情報記憶手段に記憶されたチャンネルの中には、前記ｅコマースのサービスに対応したチャンネルが含まれることを特徴とする請求項１乃至請求項４の少なくともいずれか一項に記載のネットワークテレビジョン受像機。
【請求項６】
複数の外部機器から映像と音声を入力するための複数の外部入力端子と、
前記複数の外部入力端子の中から入力元となる外部入力端子を選択して、入力元を切り替えるための入力切替ボタンと、
前記入力切替ボタンの押下により切り替え可能な入力元を記憶する入力ループ情報記憶手段とをさらに備え、
ｅコマースのサービスを提供するｅコマースサービス提供サーバとネットワークを介して接続され、
前記送受信手段は、さらに、前記ｅコマースサービス提供サーバから送信されたｅコマースサービス提供用の各種データを受信すると共に、前記ｅコマースサービス提供サーバとの間で各種のコマンド及びレスポンスの送受信を行い、
前記表示手段は、前記送受信手段により受信した前記ｅコマースサービス提供用の各種データに含まれる、ｅコマースサービス提供用の画像をさらに表示し、
前記入力ループ情報記憶手段に記憶された入力元の中には、前記ｅコマースのサービスが含まれることを特徴とする請求項１に記載のネットワークテレビジョン受像機。
【発明の詳細な説明】
【技術分野】
【０００１】
本発明は、ＶＯＤ（Ｖｉｄｅｏ  Ｏｎ  Ｄｅｍａｎｄ）のサービスを提供するＶＯＤサービス提供サーバとネットワークを介して接続され、ＶＯＤサービス提供サーバから送信されたビデオコンテンツの映像と、放送局から送信されたテレビ番組の映像とを表示するネットワークテレビジョン受像機に関する。
【背景技術】
【０００２】
従来から、ＶＯＤやｅコマースの（ネットワーク）サービスを提供するサービス提供サーバとインターネット等のネットワークを介して接続されて、サービス提供サーバからＶＯＤやｅコマースのサービスの提供を受けることが可能なＩＰＴＶ（Ｉｎｔｅｒｎｅｔ  Ｐｒｏｔｏｃｏｌ  Ｔｅｌｅｖｉｓｉｏｎ）受像機等のネットワークテレビジョン受像機が知られている。この種のネットワークテレビジョン受像機では、ユーザが、ネットワーク用のメニュー画像を表示するための指示操作を行ったときに、各種のＶＯＤサービスやｅコマースサービス（以下、ネットワークサービスという）に対応した各種のアイコンを含む（ネットワーク用の）メニュー画像（例えばビエラキャスト）を表示する。そして、このメニュー画像における、いずれかのアイコンをユーザが選択したときに、ネットワークテレビジョン受像機は、選択したアイコンに対応したネットワークサービスを提供するための画像や音声の送信をサービス提供サーバに要求し、サービス提供サーバから送信されるネットワークサービス提供用の画像や音声を再生する。
【０００３】
ところが、上記従来のネットワークテレビジョン受像機では、メニュー画像に、ロゴのみで構成された多くのアイコンが表示されるため、一般のユーザは、各アイコンを見ただけでは、各アイコンに対応したネットワークサービスの内容を判別することが難しい。また、仮に、ユーザが、ネットワークサービスのロゴに詳しい場合であっても、ユーザが所望のネットワークサービス（のアイコン）を選択するまでには、（１）ネットワーク用のメニュー画像を表示するための指示操作と、（２）メニュー画像中の多くのアイコンの中から所望のアイコンを表示するためのスクロール操作と、（３）メニュー画像中の多くのアイコンに対応したネットワークサービスの内容を思い出す手間とが必要になるので、ユーザが所望のネットワークサービスを選択するまでに、時間がかかってしまい、使い勝手が悪い。さらにまた、現行のネットワークテレビジョン受像機では、ユーザ（視聴者）の属性（年齢、性別等）や好みに応じて、ユーザが選択可能なネットワークサービスを制限する仕組みがない。
【０００４】
ところで、テレビジョン受像機の分野において、選局チャンネル番号と各種の処理プログラムとを対応付けて記憶させるようにして、チャンネルアップキーやチャンネルダウンキーを用いて各種の処理プログラムを起動できるようにしたものが知られている（引用文献１参照）。また、チャンネル選択操作で通話アプリケーションを実行可能なテレビ電話が知られている（引用文献２参照）。さらにまた、コンテンツ視聴装置において、チャンネル番号にＩＰアドレスを割り当てることが可能なものが知られている（引用文献３参照）。しかしながら、これらの引用文献１乃至３には、チャンネル選択操作とＶＯＤサービスやｅコマースサービスの起動とを結びつけることは記載されていないので、上記の問題を解消することはできない。
【先行技術文献】
【特許文献】
【０００５】
【特許文献１】特開２００２−４４５３６号公報
【特許文献２】国際公開第２００６／１１５０１２号公報
【特許文献３】特開２００９−１００００６号公報
【発明の概要】
【発明が解決しようとする課題】
【０００６】
本発明は、上記課題を解決するものであり、ユーザが所望のＶＯＤサービスやｅコマースサービスを短時間で簡単に選択することができ、しかも、ユーザが選択可能なＶＯＤサービスやｅコマースサービスを制限することが可能なネットワークテレビジョン受像機を提供することを目的とする。
【課題を解決するための手段】
【０００７】
上記課題を解決するために、請求項１の発明は、ＶＯＤ（Ｖｉｄｅｏ  Ｏｎ  Ｄｅｍａｎｄ）のサービスを提供し、ビデオコンテンツの配信を行うＶＯＤサービス提供サーバとネットワークを介して接続され、前記ＶＯＤサービス提供サーバから送信されたビデオコンテンツを受信すると共に、前記ＶＯＤサービス提供サーバとの間で各種のコマンド及びレスポンスの送受信を行うための送受信手段と、放送局から送信されたテレビ番組の放送信号を受信する放送信号受信手段と、前記送受信手段により受信したビデオコンテンツの映像と、前記放送信号受信手段により受信したテレビ番組の映像とを表示する表示手段と、前記テレビ番組のチャンネルの切り替えを行うためのチャンネルアップボタン又はチャンネルダウンボタンと、前記チャンネルアップボタン又はチャンネルダウンボタンの押下により切り替え可能なチャンネルを記憶するチャンネルループ情報記憶手段とを備えたネットワークテレビジョン受像機において、前記チャンネルループ情報記憶手段に記憶されたチャンネルの中には、前記ＶＯＤのサービスに対応したチャンネルが含まれるものである。
【０００８】
請求項２の発明は、請求項１に記載のネットワークテレビジョン受像機において、複数の外部機器から映像と音声を入力するための複数の外部入力端子と、前記複数の外部入力端子の中から入力元となる外部入力端子を選択して、入力元を切り替えるための入力切替ボタンと、前記入力切替ボタンの押下により切り替え可能な入力元を記憶する入力ループ情報記憶手段とをさらに備え、前記入力ループ情報記憶手段に記憶された入力元の中には、前記ＶＯＤのサービスが含まれるものである。
【０００９】
請求項３の発明は、請求項１又は請求項２に記載のネットワークテレビジョン受像機において、前記ＶＯＤのサービスについてのショートカットキーを設定するためのショートカットキー設定手段をさらに備え、前記チャンネルループ情報記憶手段に記憶されたチャンネルの中には、前記ショートカットキー設定手段によりショートカットキーを設定された前記ＶＯＤのサービスに対応したチャンネルが含まれるものである。
【発明の効果】
【００１０】
請求項１の発明によれば、チャンネルループ情報記憶手段に、ユーザ所望のＶＯＤのサービスに対応したチャンネルを記憶することにより、ユーザがチャンネルアップボタン又はチャンネルダウンボタンを用いて、所望のＶＯＤのサービスに切り替えることができる。これにより、ユーザが所望のＶＯＤのサービスを短時間で簡単に選択することができ、ユーザの利便性を向上させることができる。また、チャンネルループ情報記憶手段に、ユーザ（視聴者）の属性（年齢、性別等）や好みに応じたＶＯＤのサービスに対応したチャンネルのみを記憶することにより、ユーザが選択可能なＶＯＤのサービスを制限することができるので、ユーザの属性（年齢、性別等）や好みにそぐわないビデオコンテンツの視聴を防ぐことができる。
【００１１】
また、請求項２の発明によれば、入力ループ情報記憶手段に、ユーザ所望のＶＯＤのサービスに対応したチャンネルを記憶することにより、ユーザが、上記のチャンネルアップボタン又はチャンネルダウンボタンだけではなく、入力切替ボタンを用いて、所望のＶＯＤのサービスに切り替えることができる。
【００１２】
また、請求項３及び４の発明によれば、ショートカットキーを設定されたＶＯＤのサービスは、一般に、ユーザが頻繁に使用しているＶＯＤのサービスであるため、ユーザが頻繁に使用しているＶＯＤのサービスを短時間で簡単に選択することができる。
【００１３】
また、請求項５の発明によれば、チャンネルループ情報記憶手段に、ユーザ所望のｅコマースのサービスに対応したチャンネルを記憶することにより、ユーザがチャンネルアップボタン又はチャンネルダウンボタンを用いて、所望のｅコマースのサービスに切り替えることができる。これにより、ユーザが所望のｅコマースのサービスを短時間で簡単に選択することができ、ユーザの利便性を向上させることができる。また、チャンネルループ情報記憶手段に、ユーザ（視聴者）の属性（年齢、性別等）や好みに応じたｅコマースのサービスに対応したチャンネルのみを記憶することにより、ユーザが選択可能なｅコマースのサービスを制限することができる。
【００１４】
また、請求項６の発明によれば、入力ループ情報記憶手段に、ユーザ所望のｅコマースのサービスを入力元として記憶することにより、ユーザが、入力切替ボタンを用いて、所望のｅコマースのサービスに切り替えることができる。これにより、上記請求項５と同様な効果を得ることができる。
【図面の簡単な説明】
【００１５】
【図１】本発明の一実施形態に係るＩＰＴＶ受像機を含むネットワークサービス提供システムのブロック構成図。
【図２】同ＩＰＴＶ受像機におけるＶＯＤサービスやｅコマースサービスのショートカットキーの設定画面を示す図。
【図３】図１中のチャンネルループ情報の内容を示す図。
【図４】図１中の入力ループ情報の内容を示す図。
【発明を実施するための形態】
【００１６】
以下、本発明の一実施形態について、図面を参照して説明する。本実施形態では、本発明のネットワークテレビジョン受像機がＩＰＴＶ（Ｉｎｔｅｒｎｅｔ  Ｐｒｏｔｏｃｏｌ  Ｔｅｌｅｖｉｓｉｏｎ）受像機である場合の例について説明する。図１は、本実施形態によるＩＰＴＶ受像機を含むネットワークサービス提供システムを示す。このネットワークサービス提供システム１は、主に、サービス管理サーバ２と、ＶＯＤ（Ｖｉｄｅｏ  Ｏｎ  Ｄｅｍａｎｄ）サービス提供サーバ３（図中の複数のサービス提供サーバ３ａ，３ｂ，３ｃ等の総称）と、ｅコマース（ｅｌｅｃｔｒｏｎｉｃ  ｃｏｍｍｅｒｃｅ）サービス提供サーバ４（図中の複数のサービス提供サーバ４ａ，４ｂ等の総称）と、ＩＰＴＶ受像機８とから構成されている。
【００１７】
上記のサービス管理サーバ２は、ＩＰＴＶ受像機８の製造メーカ等が運営する、ＩＰＴＶ受像機８からアクセス可能なネットワークサービス（主に、ＶＯＤサービスとｅコマースサービス）の管理用のサーバである。また、各ＶＯＤサービス提供サーバ３は、ＶＯＤのサービスを提供し、ビデオコンテンツの配信を行う（ＶＯＤのサービスプロバイダ側に配された）サーバであり、各ｅコマースサービス提供サーバ４は、ｅコマースのサービスを提供する（ｅコマースのサービスプロバイダ側に配された）サーバである。サービス管理サーバ２、各ＶＯＤサービス提供サーバ３、及び各ｅコマースサービス提供サーバ４は、インターネット５（請求項におけるネットワーク）とルータ６とＬＡＮ（Local Area Network）７とを介して、ＩＰＴＶ受像機８と接続されている。
【００１８】
ＩＰＴＶ受像機８は、自機の主要な機能を実現するための各種回路を搭載した半導体チップであるＳｏＣ（Ｓｙｓｔｅｍ−ｏｎ−ａ−ｃｈｉｐ）１０と、自機の設定データ等の各種データや装置の制御用のプログラムを記憶するメモリ１３（請求項におけるチャンネルループ情報記憶手段、及び入力ループ情報記憶手段）と、前面に液晶パネル１４ａ（請求項における表示手段）を有する液晶モジュール１４と、ＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動信号処理方式）インタフェース１５（以下、ＬＶＤＳと略す）と、スピーカ１６と、リモートコントロール信号（以下、リモコン信号と略す）を受信するためのリモコン信号受信部１７とを備えている。また、ＩＰＴＶ受像機８は、複数の外部機器から映像と音声を入力するための複数の外部入力端子１８を備えている。これらの外部入力端子１８には、２つのＳビデオ端子、２つのコンポーネント端子、及び２つのＨＤＭＩ端子が含まれる。さらにまた、ＩＰＴＶ受像機８は、ユーザからの指示操作に応じたリモコン信号を送信するリモートコントローラ（以下、リモコンと略す）２０を有している。
【００１９】
上記のＳｏＣ１０は、装置全体の制御を行うＣＰＵ１１、ネットワークカード１２（送受信手段、及び放送信号受信手段）等の回路を搭載している。ＣＰＵ１１と、図２に示されるショートカット設定画面４０と、リモコン２０とが、請求項におけるショートカットキー設定手段に相当する。
【００２０】
上記のネットワークカード１２は、サービス管理サーバ２から送信された各種の設定データやソフトウェア、ＶＯＤサービス提供サーバ３から送信されたビデオコンテンツ、及びｅコマースサービス提供サーバ４から送信されたｅコマースサービス提供用の各種データを受信すると共に、サービス管理サーバ２、ＶＯＤサービス提供サーバ３、及びｅコマースサービス提供サーバ４に対して各種のコマンド及びレスポンスの送受信を行うためのインタフェース用の回路である。また、ネットワークカード１２は、ＶＯＤサービス提供サーバ３から送信されたビデオコンテンツの画像や音声、及びｅコマースサービス提供サーバ４から送信されたｅコマースサービス提供用の各種データに含まれる画像や音声の再生を行う。さらにまた、本実施形態では、ネットワークカード１２は、放送局から送信されたテレビ番組の放送信号の受信と再生も行う。
【００２１】
なお、放送局から送信されたテレビ番組の放送信号の受信と再生を、通常のチューナやデコーダで行ってもよい。また、ＩＰＴＶ受像機８は、必ずしもネットワークカード１２を有する必要はなく、ＬＡＮ７とＩＰＴＶ受像機８との間にネットワークカード１２と同様な機能を有するセットトップボックスを配して、サービス管理サーバ２、複数のＶＯＤサービス提供サーバ３、及び複数のｅコマースサービス提供サーバ４と、ＩＰＴＶ受像機８との間を、インターネット５とルータ６とＬＡＮ７と上記のセットトップボックスとを介して接続してもよい。
【００２２】
上記のメモリ１３は、ＩＰＴＶ受像機８からアクセス可能なＶＯＤサービス及びｅコマースサービスについてのショートカットキー（リモコン２０のカラーボタン２５）の設定情報であるショートカットキー設定情報３１、リモコン２０のチャンネルアップボタン２６又はチャンネルダウンボタン２７の押下により切り替え可能なチャンネルについての情報であるチャンネルループ情報３２、リモコン２０の入力切替ボタン２３の押下により切り替え可能な入力元についての情報である入力ループ情報３３等を記憶している。上記のチャンネルループ情報３２に記憶されたチャンネルの中には、上記のＶＯＤのサービスやｅコマースのサービスに対応したチャンネルが含まれている。また、上記の入力ループ情報３３に記憶された入力元の中には、上記のＶＯＤのサービスやｅコマースのサービスが含まれている。
【００２３】
上記のＬＶＤＳ１５は、ＳｏＣ１０から液晶モジュール１４への映像信号伝送用のディジタルインタフェース回路（ディジタル信号処理回路）である。
【００２４】
上記の液晶モジュール１４は、主に、液晶パネル１４ａと、駆動用プリント基板と、バックライトから構成されており、ＳｏＣ１０からＬＶＤＳ１５を介して受信した映像信号に基づく映像を液晶パネル１４ａに表示する。液晶パネル１４ａは、上記ネットワークカード１２により受信・再生したビデオコンテンツの映像とテレビ番組の映像とを表示する。
【００２５】
上記リモコン２０は、電源ボタン２１、ネットボタン２２、入力切替ボタン２３、数字入力ボタン２４、赤・青・黄・緑の４色のカラーボタン２５、チャンネルアップボタン２６、チャンネルダウンボタン２７、十字ボタン２８、決定ボタン２９、メニューボタン３０等の操作ボタンを有している。ネットボタン２２は、ＶＯＤサービス提供サーバ３やｅコマースサービス提供サーバ４から提供される各種のネットワークサービスに対応した各種のアイコンを含む（ネットワーク用の）メニュー画像を表示するようにユーザが指示するためのボタンである。入力切替ボタン２３は、複数の外部入力端子１８の中から入力元となる外部入力端子を選択して、入力元を切り替えるためのボタンである。チャンネルアップボタン２６とチャンネルダウンボタン２７とは、テレビ番組のチャンネルを切り替えるためのチャンネルアップ操作とチャンネルダウン操作とに用いられるボタンである。
【００２６】
次に、図２を参照して、ＶＯＤサービスやｅコマースサービスについてのショートカットキーの設定処理について説明する。図に示されるショートカット設定画面４０は、主に、ショートカットキーと関連付けるネットワークサービスを選択するためのアイコンであるネットサービス選択ボタン４１と、現在選択中のネットサービス選択ボタン４１に対応するネットワークサービスの名称とサービス内容を表示するためのガイダンス画面４２と、現在選択中のネットサービス選択ボタン４１に対応するショトカットキー（カラーボタン）を選択するためのショトカットキー選択ボタン４４とから構成されている。また、ガイダンス画面４２は、現在選択中のネットサービス選択ボタン４１に対応するネットワークサービスの内容を表示するための説明画面４３を含んでいる。
【００２７】
上記のショートカットキーの設定処理を行うときには、ユーザは、リモコン２０のメニューボタン３０や十字ボタン２８等を用いて、図に示されるショートカット設定画面４０を液晶パネル１４ａ上に表示させる。次に、ユーザは、各種のＶＯＤサービスやｅコマースサービスについてのネットサービス選択ボタン４１の中から、ショートカットキーを設定する（ショートカットキーと関連付ける）ネットサービス選択ボタン４１を選択する。そして、選択したネットサービス選択ボタン４１に対応するネットワークサービスの名称とサービス内容をガイダンス画面４２で確認した上で、リモコン２０の赤・青・黄・緑の４色の各カラーボタン２５に対応した４つのショトカットキー選択ボタン４４の中から、現在選択中のネットサービス選択ボタン４１（現在選択中のネットワークサービス）に対応するショトカットキー選択ボタン４４を選択することにより、現在選択中のネットワークサービスに対応する（リモコン２０の）カラーボタン２５を選択する。これにより、ネットサービス選択ボタン４１として表示されているＶＯＤサービスやｅコマースサービスを、リモコン２０のカラーボタン２５に関連付けることができ、このＶＯＤサービスやｅコマースサービスとリモコン２０のカラーボタン２５との関連付けの情報が、ショートカットキーの設定情報として、メモリ１３のショートカットキー設定情報３１に格納される。
【００２８】
上記のショートカットキーの設定処理後に、ユーザが、リモコン２０のカラーボタン２５を押下すると、ＣＰＵ１１が、上記のショートカットキー設定情報３１に格納された設定情報に基づいて、押下されたカラーボタン２５に関連付けられたＶＯＤサービスやｅコマースサービスを起動する。
【００２９】
図３は、メモリ１３に格納されているチャンネルループ情報３２の内容を示す。図中の５−１、５−２等は、リモコン２０のチャンネルアップボタン２６又はチャンネルダウンボタン２７の押下により切り替え可能なチャンネルを示す。具体的には、図中の５−１、５−２、７−１、１０−１、１５−１、１５−２は、いずれも、その時点でＩＰＴＶ受像機８により受信可能なテレビジョン放送信号のチャンネルであり、図中のＨＤＭＩとＳビデオとは、外部入力端子１８に含まれる１つのＨＤＭＩ端子（に接続されている外部機器）と１つのＳビデオ端子（に接続されている外部機器）とを意味する。また、図中のネット（赤）とネット（青）とは、リモコン２０の赤のカラーボタン２５に関連付けられたＶＯＤ又はｅコマースのサービスと、青のカラーボタン２５に関連付けられたＶＯＤ又はｅコマースのサービスとを意味する。すなわち、チャンネルループ情報３２に記憶されたチャンネルの中には、上記図２のショートカット設定画面４０を用いてユーザによりショートカットキーを設定されたＶＯＤやｅコマースのサービスに対応したチャンネルが含まれている。
【００３０】
チャンネルループ情報３２の内容が図３に示される内容になっている場合において、ユーザが、リモコン２０のチャンネルアップボタン２６を押下すると、液晶パネル１４ａに表示される映像は、５−１、５−２、７−１、１０−１、１５−１、１５−２の各チャンネルのテレビ番組の映像に順次切り替わった後、ＨＤＭＩ端子を介して入力された映像、Ｓビデオ端子を介して入力された映像、赤のカラーボタン２５に関連付けられたＶＯＤ又はｅコマースのサービスの映像、青のカラーボタン２５に関連付けられたＶＯＤ又はｅコマースのサービスの映像の順に切り替わり、その後、最初の５−１のチャンネルのテレビ番組の映像に戻る。
【００３１】
図４は、メモリ１３に格納されている入力ループ情報３３の内容を示す。図中のＳビデオ１、Ｓビデオ２、コンポーネント１、コンポーネント２、ＨＤＭＩ１、ＨＤＭＩ２は、それぞれ、外部入力端子１８に含まれる１つ目のＳビデオ端子（に接続されている外部機器）、２つ目のＳビデオ端子（に接続されている外部機器）、１つ目のコンポーネント端子（に接続されている外部機器）、２つ目のコンポーネント端子（に接続されている外部機器）、１つ目のＨＤＭＩ端子（に接続されている外部機器）、２つ目のＨＤＭＩ端子（に接続されている外部機器）を意味する。また、図中のネット（赤）とネット（青）とは、リモコン２０の赤のカラーボタン２５に関連付けられたＶＯＤ又はｅコマースのサービスと、青のカラーボタン２５に関連付けられたＶＯＤ又はｅコマースのサービスとを意味する。すなわち、入力ループ情報３３に記憶された入力元（の外部入力端子）の中には、上記図２のショートカット設定画面４０を用いてユーザによりショートカットキーを設定されたＶＯＤやｅコマースのサービスが含まれている。
【００３２】
入力ループ情報３３の内容が図４に示される内容になっている場合において、ユーザが、リモコン２０の入力切替ボタン２３を押下すると、液晶パネル１４ａに表示される映像は、１つ目のＳビデオ端子を介して入力された映像、２つ目のＳビデオ端子を介して入力された映像、１つ目のコンポーネント端子を介して入力された映像、２つ目のコンポーネント端子を介して入力された映像、１つ目のＨＤＭＩ端子を介して入力された映像、２つ目のＨＤＭＩ端子を介して入力された映像、赤のカラーボタン２５に関連付けられたＶＯＤ又はｅコマースのサービスの映像、青のカラーボタン２５に関連付けられたＶＯＤ又はｅコマースのサービスの映像の順に切り替わり、その後、１つ目のＳビデオ端子を介して入力された映像に戻る。
【００３３】
上記のように、本実施形態のＩＰＴＶ受像機８によれば、メモリ１３に記憶するチャンネルループ情報３２に、ユーザ所望のＶＯＤ又はｅコマースのサービスに対応したチャンネルを含めることにより、ユーザがチャンネルアップボタン２６又はチャンネルダウンボタン２７を用いて、所望のＶＯＤやｅコマースのサービスに切り替えることができる。これにより、ユーザが所望のＶＯＤやｅコマースのサービスを短時間で簡単に選択することができ、ユーザの利便性を向上させることができる。また、メモリ１３に記憶するチャンネルループ情報３２に、ユーザ（視聴者）の属性（年齢、性別等）や好みに応じたＶＯＤ又はｅコマースのサービスに対応したチャンネルのみを含めることにより、ユーザが選択可能なＶＯＤやｅコマースのサービスを制限することができるので、ユーザの属性（年齢、性別等）や好みにそぐわないビデオコンテンツの視聴やｅコマースの使用を防ぐことができる。
【００３４】
また、本実施形態のＩＰＴＶ受像機８によれば、メモリ１３に記憶する入力ループ情報３３に、ユーザ所望のＶＯＤ又はｅコマースのサービスを含めることにより、ユーザが、上記のチャンネルアップボタン２６又はチャンネルダウンボタン２７だけではなく、入力切替ボタン２３を用いて、所望のＶＯＤのサービスに切り替えることができる。
【００３５】
また、上記のように、チャンネルループ情報３２又は入力ループ情報３３に記憶されたチャンネル又は入力元の中には、上記図２のショートカット設定画面４０を用いてユーザによりショートカットキーを設定されたＶＯＤやｅコマースのサービスに対応したチャンネル又は入力元が含まれるようにした。ここで、ショートカットキーを設定されたＶＯＤ又はｅコマースのサービスは、一般に、ユーザが頻繁に使用しているＶＯＤのサービスであるため、上記のように、チャンネルループ情報３２又は入力ループ情報３３に記憶されたチャンネル又は入力元の中に、ショートカットキーを設定されたＶＯＤやｅコマースのサービスに対応したチャンネル又は入力元が含まれるようにしたことで、ユーザが頻繁に使用しているＶＯＤやｅコマースのサービスを短時間で簡単に選択することができる。
【００３６】
なお、本発明は、上記実施形態の構成に限られず、発明の趣旨を変更しない範囲で種々の変形が可能である。例えば、上記実施形態では、本発明をＩＰＴＶ受像機に適用した場合の例を示したが、本発明を、インターネットとは異なるネットワークを介して、ＶＯＤやｅコマースのサービスを提供するサービス提供サーバと接続されるネットワークテレビジョン受像機に適用してもよい。また、上記実施形態では、チャンネルループ情報又は入力ループ情報に記憶されるチャンネル又は入力元の中に、ショートカットキーを設定されたＶＯＤやｅコマースのサービスに対応したチャンネル又は入力元を含めるようにしたが、チャンネルループ情報又は入力ループ情報に記憶されるチャンネル又は入力元の中に、ショートカットキーを設定していないＶＯＤやｅコマースのサービスに対応したチャンネル又は入力元を含めるようにしてもよい。さらにまた、上記実施形態では、チャンネルループ情報又は入力ループ情報に記憶されるチャンネル又は入力元の中に、ＶＯＤのサービスに対応したチャンネル又は入力元だけではなく、ｅコマースのサービスに対応したチャンネル又は入力元を含めることができるようにしたが、チャンネルループ情報又は入力ループ情報に記憶されるチャンネル又は入力元の中には、ネットワークサービスのうち、ＶＯＤのサービスに対応したチャンネル又は入力元のみを含めることができるようにしてもよい。
【符号の説明】
【００３７】
３、３ａ、３ｂ、３ｃ  ＶＯＤサービス提供サーバ
４、４ａ、４ｂ  ｅコマースサービス提供サーバ
５    インターネット（ネットワーク）
８    ＩＰＴＶ受像機（ネットワークテレビジョン受像機）
１１  ＣＰＵ（ショートカットキー設定手段）
１２  ネットワークカード（送受信手段、放送信号受信手段）
１３  メモリ（チャンネルループ情報記憶手段、入力ループ情報記憶手段）
１４ａ液晶パネル（表示手段）
１８  外部入力端子
２０  リモコン（ショートカットキー設定手段）
２３  入力切替ボタン
２６  チャンネルアップボタン
２７  チャンネルダウンボタン
４０  ショートカット設定画面（ショートカットキー設定手段）
【図１】
2012049727.tif 000003
【図２】
2012049727.tif 000004
【図３】
2012049727.tif 000005
【図４】
2012049727.tif 000006